(57)【要約】【課題】蓄積型の通信カラオケ端末装置でありながら、ブロードバンドネットワークにも対応して、楽曲と映像とをマッチしたカラオケ演奏が可能な通信カラオケ端末装置を提供する。【解決手段】カラオケデータのインデックス情報に、カラオケ演奏をネットワーク優先で行うか否かを示すネットワーク優先フラグを含ませ、カラオケの演奏要求を受け付けた際に、前記ネットワーク優先フラグにもとづいて、ネットワーク優先の場合は、前記センタ装置にカラオケデータのストリーミング再生を要求する。【選択図】　図１
2004061684.tif 000002
【特許請求の範囲】
【請求項１】
カラオケデータを配信するセンタ装置と、該センタ装置とネットワークを介して接続され、少なくとも前記カラオケデータのインデックス情報を蓄積した通信カラオケ端末装置とからなる通信カラオケシステムであって、前記インデックス情報に、カラオケ演奏をネットワーク優先で行うか否かを示すネットワーク優先フラグを含み、
前記通信カラオケ端末装置は、カラオケの演奏要求を受け付けた際に、前記ネットワーク優先フラグにもとづいて、ネットワーク優先の場合は、前記センタ装置にカラオケデータのストリーミング再生を要求することを特徴とする通信カラオケシステム。
【請求項２】
前記カラオケデータは、楽曲情報、背景映像情報とよりなり、前記ネットワーク優先フラグは、楽曲情報および背景映像情報それぞれに付与されていることを特徴とする請求項１記載の通信カラオケシステム。
【請求項３】
カラオケデータを配信するセンタ装置とネットワークを介して接続され、少なくとも前記カラオケデータのインデックス情報を蓄積した通信カラオケ端末装置であって、
前記インデックス情報に、カラオケ演奏をネットワーク優先で行うか否かを示すネットワーク優先フラグを含み、
カラオケの演奏要求を受け付けた際に、前記ネットワーク優先フラグにもとづいて、ネットワーク優先の場合は、前記センタ装置にカラオケデータのストリーミング再生を要求することを特徴とする通信カラオケ装置。
【請求項４】
カラオケデータを配信するセンタ装置とネットワークを介して接続され、少なくとも前記カラオケデータのインデックス情報を蓄積した通信カラオケ端末装置であって、
前記インデックス情報に、カラオケ演奏をネットワーク優先で行うか否かを示すネットワーク優先フラグを含み、
カラオケの演奏要求を受け付けた際に、前記ネットワーク優先フラグにもとづいて、ネットワーク優先でない場合は、通信カラオケ端末装置に蓄積されたカラオケデータを再生することを特徴とする通信カラオケ装置。
【請求項５】
カラオケデータを配信するセンタ装置とネットワークを介して接続され、少なくとも前記カラオケデータのインデックス情報を蓄積した通信カラオケ端末装置に用いられるプログラムであって、
前記インデックス情報に、カラオケ演奏をネットワーク優先で行うか否かを示すネットワーク優先フラグを含み、
カラオケの演奏要求を受け付けた際に、前記ネットワーク優先フラグにもとづいて、ネットワーク優先の場合は、前記センタ装置にカラオケデータのストリーミング再生を要求することを特徴とする通信カラオケ装置に用いられるプログラム。
【発明の詳細な説明】
【０００１】
【発明の属する技術分野】
本発明は、通信カラオケシステム、通信カラオケ端末装置、および、通信カラオケ端末装置に用いられるプログラムに関するものである。
【０００２】
【従来の技術】
業務用通信カラオケで一般的な蓄積型の場合、通信で取得したＭＩＤＩファイルなどの楽曲データを本体の記憶装置に保存しておき、演奏時に背景画像と歌詞を合成して表示する。
【０００３】
この背景画像は、一対一に対応付けることが理想的であるが、カラオケボックスやスナックなどに設置された蓄積型の業務用通信カラオケ端末装置で、すべての楽曲について一体一に対応した画像を持つことは、記憶装置の容量の問題から不可能なため、ジャンル別の映像データを複数用意して、その中から、曲にあったジャンルのものを選択する方式を採用している。
【０００４】
また、インターネットのブロードバンド化に伴って、オンデマンドの音楽・動画像の配信方式として、ダウンロードしながら再生するストリーミング配信が普及しつつある。ブロードバンド化の採用により、大規模な記録容量を有するセンターから楽曲とその楽曲にマッチした映像をリアルタイムにダウンロード再生が可能になると考えられる。
【０００５】
【発明が解決しようとする課題】
しかしながら、ブロードバンドネットワークの普及は、まだ過渡期であり、普及が遅れている地区もまだ多く、また、普及が進んでいる地区でも、ネットワークの信頼性や安定性にまだ問題があるのが現状である。従って、ネットワーク障害が起きると、カラオケの再生が出来なくなってしまうことが考えられる。
【０００６】
また、ブロードバンドネットワークの普及に伴い、ブロードバンドネットワーク対応の通信カラオケ端末装置が主流になると予想されるが、メーカーとしては、ブロードバンドネットワーク対応／非対応の二種類の通信カラオケ端末装置を品揃えすることは、コスト的にも無駄が多いので、ブロードバンド化が遅れている地区でも導入可能なシステムとしておく方が有利である。
【０００７】
本発明はこのような事情に鑑みなされたものであり、蓄積型の通信カラオケ端末装置でありながら、ブロードバンドネットワークにも対応して、楽曲と映像とをマッチしたカラオケ演奏が可能な通信カラオケ端末装置を提供することを目的とする。
【０００８】
【課題を解決するための手段】
本発明の第１発明に係る通信カラオケシステムは、カラオケデータを配信するセンタ装置と、該センタ装置とネットワークを介して接続され、少なくとも前記カラオケデータのインデックス情報を蓄積した通信カラオケ端末装置とからなる通信カラオケシステムであって、前記インデックス情報に、カラオケ演奏をネットワーク優先で行うか否かを示すネットワーク優先フラグを含み、前記通信カラオケ端末装置は、カラオケの演奏要求を受け付けた際に、前記ネットワーク優先フラグにもとづいて、ネットワーク優先の場合は、前記センタ装置にカラオケデータのストリーミング再生を要求することを特徴とする。
【０００９】
本発明の第２発明に係る通信カラオケシステムは、前記第１発明において、前記カラオケデータは、楽曲情報、背景映像情報とよりなり、前記ネットワーク優先フラグは、楽曲情報および背景映像情報それぞれに付与されていることを特徴とする。
【００１０】
本発明の第３発明に係る通信カラオケ端末装置は、カラオケデータを配信するセンタ装置とネットワークを介して接続され、少なくとも前記カラオケデータのインデックス情報を蓄積した通信カラオケ端末装置であって、前記インデックス情報に、カラオケ演奏をネットワーク優先で行うか否かを示すネットワーク優先フラグを含み、　カラオケの演奏要求を受け付けた際に、前記ネットワーク優先フラグにもとづいて、ネットワーク優先の場合は、前記センタ装置にカラオケデータのストリーミング再生を要求することを特徴とする。
【００１１】
本発明の第４発明に係る通信カラオケ端末装置は、カラオケデータを配信するセンタ装置とネットワークを介して接続され、少なくとも前記カラオケデータのインデックス情報を蓄積した通信カラオケ端末装置であって、前記インデックス情報に、カラオケ演奏をネットワーク優先で行うか否かを示すネットワーク優先フラグを含み、　カラオケの演奏要求を受け付けた際に、前記ネットワーク優先フラグにもとづいて、ネットワーク優先でない場合は、通信カラオケ端末装置に蓄積されたカラオケデータを再生することを特徴とする。
【００１２】
本発明の第５発明に係る通信カラオケ端末装置に用いられるプログラムは、カラオケデータを配信するセンタ装置とネットワークを介して接続され、少なくとも前記カラオケデータのインデックス情報を蓄積した通信カラオケ端末装置に用いられるプログラムであって、前記インデックス情報に、カラオケ演奏をネットワーク優先で行うか否かを示すネットワーク優先フラグを含み、カラオケの演奏要求を受け付けた際に、前記ネットワーク優先フラグにもとづいて、ネットワーク優先の場合は、前記センタ装置にカラオケデータのストリーミング再生を要求することを特徴とする。
【００１３】
【発明の実施の形態】
本発明の実施の形態について図面を参照しながら詳細に説明する。尚、図中同一または相当部分には同一符号を付してその説明は繰返さない。
【００１４】
図１は、本発明の通信カラオケシステムのシステム構成図を示している。センタ装置１１は、楽曲情報、歌詞情報、背景映像情報などのカラオケデータを保持・管理しており、ブロードバンド化されたインターネット等の伝送路１３を介してカラオケボックスなどの店舗に設置された通信カラオケ端末装置１２にカラオケデータを供給する。
【００１５】
図２は、曲の予約から演奏までの流れを示したフローチャートである。ユーザーが、リモコンなどを利用して、通信カラオケ端末装置１２に楽曲番号を入力して曲を予約すると（ステップ１、以下、ステップをＳと略記する。図面において同じ。）、楽曲を演奏するための準備（Ｓ２）及び表示する背景映像の準備（Ｓ３）を行う。その後、自動または手動で演奏が開始される（Ｓ４）。演奏中は、楽曲演奏（Ｓ４）、歌詞表示（色替え）（Ｓ５）、映像再生（Ｓ６）が同時に実行される。
【００１６】
演奏が終了すると、次の予約曲があれば次曲の楽曲準備に移行し（Ｓ７）、なければ予約待ち状態に移行する。
【００１７】
上記ステップ２の楽曲準備において、楽曲は、▲１▼通信カラオケ端末装置１２内の記憶装置にあらかじめ蓄積されている場合、▲２▼ネットワークを介してサーバ（センタ装置１１）からダウンロ−ドする場合、▲３▼ネットワークを介してストリーミング再生する場合の三種類の形態があり、本実施例では図３に示す楽曲準備のフローチャートに従って楽曲を準備する。
【００１８】
曲が予約されると、まず通信カラオケ端末装置１２内部で保持している楽曲のデータベース（ローカルＩｎｄｅｘ）から、予約曲の楽曲番号をキーとして該当曲の有無を検索する（Ｓ３０１）。楽曲のデータベースには楽曲ＩＤ、（映像ＩＤ）、ローカルファイル（通信カラオケ端末装置１２に蓄積された演奏用楽曲データファイル及び背景用映像データファイル）の有無、ネットワーク優先フラグ（曲、及び／又は、映像の再生を通信カラオケ端末装置１２に蓄積されたデータファイルを使って再生するか、又は、ネットワークを介してセンタ装置１１からダウンロード若しくはストリーミング再生するかを示すフラグ）、楽曲のジャンル情報などの各種情報が含まれている。
【００１９】
該当曲の情報がデータベース中にない場合は（Ｓ３０２）、ネットワーク１３（ＮＷ）を介してセンタ装置１１に問い合わせる（Ｓ３０３）。センタ装置１１上のデータベースに該当曲の情報がない場合は（Ｓ３０４）、該当曲がない旨の表示をして、処理を終了する（Ｓ３０５）。
【００２０】
Ｓ３０２において、該当曲がある場合、データベースから取得した楽曲情報のネットワーク優先フラグをチェックし（Ｓ３０６）、ネットワーク優先でない場合はローカルファイルの有無を調べる（Ｓ３０７）。ネットワーク優先の場合はネットワークが有効かどうか（ダウンロード又はストリーミング再生が可能かどうか）をチェックし（Ｓ３０８）、ＯＫの場合、ネットワーク上の楽曲データがＭＩＤＩ形式であれば（Ｓ３０９）楽曲データのダウンロードを行い（Ｓ３１０）、その後に蓄積楽曲の再生準備処理を行う（Ｓ３１４）。また、Ｓ３０９において、ストリーミング形式であればストリーミングの再生準備処理を行う（Ｓ３１１）。
【００２１】
又、上記Ｓ３０８で、ネットワークが有効でないと判断された場合は、ローカルファイルの有無を調べ（Ｓ３１２）、該当曲の情報がない場合は、該当曲がない旨の表示をして、処理を終了する（Ｓ３１３）。Ｓ３０７及びＳ３１２において、ローカルファイルが有る場合は、蓄積されたデータに基づいて楽曲演奏の準備を行う（Ｓ３１４）。
【００２２】
背景映像についても、▲１▼通信カラオケ端末装置１２内の記憶装置にあらかじめ蓄積されている場合、▲２▼ネットワークを介してサーバ（センタ装置１１）からダウンロ−ドする場合、▲３▼ネットワークを介してストリーミング再生する場合の三種類の形態があり、本実施例では図４に示す上記Ｓ３の映像準備のフローチャートに従っての背景映像を準備する。
【００２３】
まず、Ｓ４０１でローカルＩｎｄｅｘ検索を行い、得られた楽曲のデータベースをチェックする。データベースには映像ＩＤ、ローカルファイルの有無、ネットワーク優先フラグ、ジャンルなどの情報が含まれている。そして、該データベースに映像ＩＤが指定されているかチェックする（Ｓ４０２）。映像ＩＤが指定されていない場合は、楽曲のジャンル情報に基づいて背景映像の映像ＩＤを決定する（Ｓ４０３）。
【００２４】
次に、映像ＩＤで特定される映像の情報がローカルファイル中に有るか否かをチェックする（Ｓ４０４）、情報がローカルファイル中に無い場合は、ネットワーク（ＮＷ）を介してセンタ装置１１に当該映像情報の有無を問い合わせる（Ｓ４０５）。センタ装置１１上のデータベースに該当映像の情報がない場合は（Ｓ４０６）、該当曲のジャンル情報から映像ＩＤを決定する（Ｓ４０３）。
【００２５】
Ｓ４０４及びＳ４０６において、該当映像情報がある場合、データベースから取得した該映像情報のネットワーク優先フラグをチェックし（Ｓ４０７）、ネットワーク優先でない場合はローカルファイルの有無を調べる（Ｓ４０８）。ネットワーク優先の場合はネットワークが有効かどうかをチェックし（Ｓ４０９）、ネットワークが有効であれば、ストリーミング形式であればストリーミングの再生準備処理を行う（Ｓ４１０）。他方、ネットワークが無効であれば、ローカルファイルの有無をチェックする（Ｓ４１１）。Ｓ４０８及びＳ４１１でローカルファイルが有る場合は、蓄積した映像の再生準備処理を行う（Ｓ４１２）。
【００２６】
楽曲、映像それぞれの準備処理が終了すると、自動または演奏開始ボタン押下などにより楽曲および映像の再生を開始する。通常、ジャンル別に用意された映像の場合は楽曲との同期は不要であるが、振り付けのある映像やアーティストがその曲を歌っている映像などは、楽曲と映像が同期している必要がある。
【００２７】
本実施例においては、楽曲との同期が必要な映像については、映像データとは別に、映像中の特定のフレームが、どのタイミングで再生されるかというタイムスタンプ情報をもつことで、楽曲との同期を制御する。
【００２８】
本実施例により、楽曲種類に応じて、楽曲、映像それぞれについて、蓄積、ストリーミングを組み合わせることが可能になる。例えば、通常は楽曲はネットワーク優先なり、映像はネットワーク優先の設定としておき、ＭＩＤＩデータ等の通信カラオケ端末装置１２に蓄積された楽曲とストリーミングの背景映像を流す、振り付けやリップシンクなど楽曲に対応した特別な映像のある曲は楽曲、映像共にネットワーク優先でストリーミング再生する、アクセス頻度の少ない曲はローカルファイル無し、ネットワーク優先の設定にしておき、予約を受け付けてからネットワークから楽曲データをダウンロードする、などが考えられる。
【００２９】
また、ネットワーク障害などの場合にはネットワーク優先の設定になっていても自動的に蓄積されている楽曲を演奏する構成としてもよい。
【００３０】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【００３１】
【発明の効果】
以上述べたように本発明によれば、蓄積型の通信カラオケ端末装置でありながら、ブロードバンドネットワークにも対応して、楽曲と映像とをマッチしたカラオケ演奏が可能な通信カラオケシステム、通信カラオケ端末装置、および、通信カラオケ端末装置に用いられるプログラムを提供することができる。
【図面の簡単な説明】
【図１】本発明の一実施例を示す通信カラオケシステムのシステム構成図である。
【図２】本発明の一実施例に係る通信カラオケ端末装置１２における曲の予約から演奏までの流れを示したフローチャートである。
【図３】本発明の一実施例に係る楽曲準備の流れを示すフローチャートである。
【図４】本発明の一実施例に係る映像準備の流れを示すフローチャートである。
１０　　通信カラオケシステム
１１　　センタ装置
１２　　通信カラオケ端末装置
１３　　伝送路
【図１】
2004061684.tif 000003
【図２】
2004061684.tif 000004
【図３】
2004061684.tif 000005
【図４】
2004061684.tif 000006